(57)【要約】【課題】棚や台がなくても枠桟があれば商品を平面的に陳列することができ、尚且つ平面上にも設置することができる商品陳列用具を提供すること。【解決手段】枠桟に掛止させて使用される商品陳列用具１であって、商品５０を並べた状態で収容可能な開口部１３と、枠桟に掛止させるハンガー部１６と、平面６０上に載置可能な支持脚４０と、を備えた商品陳列用具１を構成した。開口部１３に商品５０を収容することで、商品５０を並べた状態で枠桟に掛止できると共に棚や台がなくても、店舗の壁などに枠桟さえ設置されていれば、商品を平面的に展示することができる。また、支持脚４０によって、平面６０上に載置することも可能なので、枠桟に掛止しきれない場合、台や棚などに置いて展示することもできる。さらに、連結用フック２１をフック係合孔に係合させるだけで複数の商品陳列用具１を相互に連結した形態で陳列を行うこともできる。【選択図】図１
2007185360.tif 000002
【特許請求の範囲】
【請求項１】
枠桟に掛止させて使用される商品陳列用具であって、商品を並べた状態で収容可能な開口部と、前記枠桟に掛止させるハンガー部と、平面上に載置可能な支持脚と、を備えたことを特徴とする商品陳列用具。
【請求項２】
前記支持脚は、前記商品陳列用具を掛止状態に保持するストッパー部を備えることを特徴とする請求項１に記載の商品陳列用具。
【請求項３】
前記商品陳列用具は、一側部に連結用フックを、他側部にフック係合孔を備え、前記連結用フックを前記フック係合孔に係合させることにより、複数の商品陳列用具を相互に連結自在に構成したことを特徴とする請求項１または２に記載の商品陳列用具。
【請求項４】
前記商品陳列用具の開口部の下方に、商品が載置される底部を設け、該底部を、前記ハンガー部から前方に向けて下降するように傾斜させて構成したことを特徴とする請求項１〜３の何れかの請求項に記載の商品陳列用具。
【請求項５】
前記開口部の上縁部を、前記ハンガー部から前方に向けて下降するように傾斜させたことを特徴とする請求項１〜３の何れかの請求項に記載の商品陳列用具。
【請求項６】
前記ハンガー部が設けられている側とは反対側に前壁が形成されており、該前壁を前方に向けて下降する傾斜面で構成したことを特徴とする請求項１〜５の何れかの請求項に記載の商品陳列用具。
【発明の詳細な説明】
【技術分野】
【０００１】
本発明は、商品陳列用枠桟または商品陳列用棚板上に各種商品を陳列する際に使用する商品陳列用具に関するものである。
【背景技術】
【０００２】
従来の商品陳列用具として、商品陳列用枠桟に掛止するハンガー形式（掛止形式）の商品陳列用具や商品陳列棚上に載置するトレイ形式（載置形式）の商品陳列用具が存在する。そして、従来の商品陳列用具では、ハンガーまたはトレイの前方に位置する商品が取り出されると、ハンガーまたはトレイの後方に収容されている商品を順次前方に移動させて、常に商品陳列用具の手前から商品を取り出すことができるように構成されている。
【０００３】
そして、ハンガー形式の商品陳列用具として、特許文献１には、先端部に継合部を設けたハンガー主杆の基部にハンガー主杆を陳列枠桟に係止する係止片を設け、継合部に着脱可能に継合し軸方向に回動不能に固定できるハンガー継杆を設け、ハンガー継杆の先端部寄りに商品を吊下げる複数個の係止溝を刻設した商品陳列用杆状ハンガー具が開示されている。
【０００４】
また、トレイ形式の商品陳列用具として、特許文献２には、長方形状のベースと、ベースの一側辺に形成された凸部と、ベースの凸部と相対する側に形成されていて凸部に嵌合する凹部を有し、一つの商品陳列用具の凸部に他の商品陳列用具の凹部を嵌合させることにより複数の商品陳列用具を互いに連結させて使用できるようにした商品陳列用具が開示されている。
【特許文献１】特開平１１−４６９４２号公報
【特許文献２】登録実用新案第３０４９９０６号公報
【発明の開示】
【発明が解決しようとする課題】
【０００５】
従来の商品陳列用具は、ハンガー形式の商品陳列用具やトレイ形式の商品陳列用具が一般的であり、商品の陳列形態に応じて、ハンガー形式の商品陳列用具またはトレイ形式の商品陳列用具を区別して使用する必要があった。
【０００６】
また、特許文献１に開示された商品陳列用杆状ハンガー具は、陳列する商品の新陳代謝を容易とするために、ハンガー主杆の継合部にハンガー継杆を着脱可能に継合しているが、ハンガーに掛止させるための孔やフックを商品に設ける必要があり、箱入りの商品を陳列するのには不向きであった。また、ハンガー形式のものは、上から見下ろすことによって商品内容を理解することができる商品（例えば、商品の上面に特徴がある商品など）を陳列するには不向きである上に、手前の商品しか見えないので、所望の商品が奥の方にあった場合は、それを発見することができなかったり、発見できても取り出すのに苦労することがあった。また、棒状のハンガーなので、過大な荷重に耐えることができない上に、上から人や物が倒れ落ちてきた場合に破損することがあった。
【０００７】
さらに、特許文献２に開示された商品陳列用具は、複数のベースを連結可能に構成しているが、棚や台がない限り使用することができず、陳列設備を揃えるのに費用がかかる。
【０００８】
本発明は、以上のような事情に鑑みてなされたもので、棚や台がなくても枠桟があれば商品を平面的に陳列することができ、尚且つ平面上にも設置することができる商品陳列用具を提供することを目的とする。
【課題を解決するための手段】
【０００９】
上記目的を達成するために、請求項１に記載の商品陳列用具に係る発明は、枠桟６１に掛止させて使用される商品陳列用具１であって、商品を並べた状態で収容可能な開口部１３と、前記枠桟６１に掛止させるハンガー部１６と、平面６０上に載置可能な支持脚４０と、を備えたことを特徴とする。
また、請求項２に記載の発明は、請求項１に記載の発明において、支持脚４０は、商品陳列用具１を掛止状態に保持するストッパー部４３を備えたことを特徴とする。
さらに、請求項３に記載の発明は、請求項１または２に記載の発明において、商品陳列用具１は、一側部に連結用フック２１を、他側部にフック係合孔２４を備え、連結用フック２１をフック係合孔２４に係合させることにより、複数の商品陳列用具１を相互に連結自在に構成したことを特徴とする。
【００１０】
また、請求項４に記載の発明は、請求項１〜３のいずれかに記載の発明において、前記商品陳列用具１の開口部１３の下方に、商品５０が載置される底部２６，２８を設け、該底部２６，２８を、前記ハンガー部１６から前方に向けて下降するように傾斜させて構成したことを特徴とする。
さらに、請求項５に記載の発明は、請求項１〜３のいずれかに記載の発明において、前記開口部１３の上縁部１１を、前記ハンガー部１６から前方に向けて下降するように傾斜させたことを特徴とする。
さらに、請求項６に記載の発明は、請求項１〜５のいずれかに記載の発明において、前記ハンガー部１６が設けられている側とは反対側に前壁１４が形成されており、該前壁１４を前方に向けて下降する傾斜面で構成したことを特徴とする。
【発明の効果】
【００１１】
請求項１に記載の商品陳列用具に係る発明によれば、開口部に商品を収容することで、商品を並べた状態で枠桟に掛止できるので、棚や台がなくても、店舗の壁などに枠桟さえ設置されていれば、商品を平面的に展示することができる。また、商品を収容した状態の商品陳列用具を店内に搬入し、枠桟に掛止させるだけで商品の陳列が済むので、商品の搬入および設置作業が効率的にできる。さらに、支持脚によって、商品陳列用具を平面上に載置することも可能なので、枠桟に掛止しきれない場合、陳列台や棚などに置いて展示することもできる。
請求項２に記載の発明によれば、上記請求項１の効果に加えて、商品陳列用具を掛止状態に保持するストッパー部を備えるので、ハンガー形式（掛止形式）の形態で使用する際に、商品陳列用具が商品陳列用枠桟から抜け落ちないように確実に保持することが可能な商品陳列用具を提供することができる。
請求項３に記載の発明によれば、上記請求項１または２の効果に加えて、連結用フックをフック係合孔に係合させるだけで複数の商品陳列用具を相互に連結することができるので、個々の商品陳列用具が不用意に移動することがなく安定した状態で陳列を行うことができる商品陳列用具を提供することができる。商品陳列用具を連結して使用することによって、荷重に対する耐力が強くなるので、商品陳列用具の上に人や物が倒れ落ちてきても、破損しにくくなる。
【００１２】
請求項４に記載の発明によれば、上記請求項１〜３のいずれかの効果に加えて、開口部の底部に商品が載置されることとなるが、この場合において、底部がハンガー部から前方に向けて下降するように傾斜しているので、手前の商品が取り出された際に、後方から商品が順次滑り降りてくるようになる。これによって、商品を常に手前に位置させることができる商品陳列用具を提供することができる。
請求項５に記載の発明によれば、上記請求項１〜３のいずれかの効果に加えて、フランジ部がある商品は、そのフランジ部を開口部の上縁部に掛止させて収容することができるが、この場合において、開口部の上縁部が、ハンガー部から前方に向けて下降するように傾斜しているので、手前の商品が取り出された際に、後方から商品が順次滑り降りてくるようになる。これによって、常に商品を手前に位置させることができる。
請求項６に記載の発明によれば、上記請求項１〜５のいずれかの効果に加えて、ハンガー部とは反対側（即ち、手前側）に、傾斜状の前壁を設けたので、そこに商品説明などを表示することができる。これによって、消費者の見やすい位置に商品情報を表示することができるようになる。
【発明を実施するための最良の形態】
【００１３】
本発明の実施の形態に係る商品陳列用具１を図１〜図１１に基づいて説明する。
本発明の実施の形態に係る商品陳列用具１は、基本的には、図１に示すように、複数の商品陳列用具１，１を互いに連結して商品陳列用棚板（平面）６０上に載置して使用する形態（トレイ形式）と、図２に示すように、複数の商品陳列用具１，１を互いに連結して商品陳列用枠桟６１に掛止して使用する形態（ハンガー形式）の、２つの形態で使用できるように構成されている。
【００１４】
また、本発明の実施の形態に係る商品陳列用具１は、図１および図２に示すように、複数の商品陳列用具１，１を互いに連結して使用することができるが、単独の商品陳列用具１をトレイ形式またはハンガー形式で使用することもできる。さらに、本発明の実施の形態に係る商品陳列用具１は、商品陳列用具本体１０の前壁１４に商品収容部１２に収容される商品５０、５３の商品名などを表示することができるように構成されている。
【００１５】
ここで、商品包装用の容器としては、図１２に示すようなものを使用することができる。図１２（Ａ）に示す箱状の容器５０は、分離自在の第１ケース部５１と第２ケース部５２とから直方体形状に構成されており、使用する場合には、第１ケース部５１と第２ケース部５２とを分離して、適宜の商品を収納した後、第１ケース部５１と第２ケース部５２とを連結する。
また、図１２（Ｂ）に示すポーション容器５３は、フランジ部５５を有する有底円筒状の容器本体部５４から構成されている。このポーション容器５３を使用する場合には、フランジ部５５にシール材（図示省略）を貼着して、容器本体部５４に収納した商品を密封することができる。
そして、箱状の容器５０およびポーション容器５３の側面にも商品の具体的内容などを表示したシール材を貼り付けてもよい。
【００１６】
以下、図６〜図１１に基づいて、本発明の実施の形態に係る商品陳列用具１を詳細に説明する。この商品陳列用具１は、店舗の壁などに予め設置された商品陳列用枠桟６１に掛止させて使用するものであり、商品収容部１２に収容された商品５０，５３を手前から取り出し、奥から補充していけるようになっている。
本発明の実施の形態に係る商品陳列用具１は、商品取出し側へ傾斜させた上壁１１と、上壁１１の前方に連設された前壁１４と、上壁１１の後方に連設された後壁１５と、上壁１１、前壁１４および後壁１５を連結するように、上壁１１、前壁１４および後壁１５に連設された右側壁１９および左側壁２２とから形成した商品陳列用具本体１０と、この商品陳列用具本体１０をトレイ形式（掛止形式）またはハンガー形式（載置形式）で使用する際に用いる支持脚４０と、から構成されている。また、商品陳列用具本体１０の内部には、上壁１１、前壁１４、後壁１５、右側壁１９および左側壁２２を相互に連結して商品陳列用具本体１０を補強すると共に、後述する商品収容部１２の底部（商品滑走面）を形成する縦リブ２５および横リブ２７が格子状に交差して一体に形成されている。
【００１７】
上壁１１は、図６〜図８に示すように、商品陳列用具本体１０の長手方向に細長い平板状に形成されると共に、前方すなわち商品取り出し方向へ緩やかに湾曲するように傾斜して形成されている。この場合の傾斜角度αは１０°〜３５°、好ましくは、１５°である。また、上壁１１には、商品陳列用具本体１０の長手方向に沿って商品収容部１２を構成する長円形状の開口部１３が形成されている。上壁１１の上面が開口部１３の上縁部を形成している。そして、開口部１３の下方には、商品収容部１２の底部を形成する縦リブ２５と横リブ２７が存在するだけで、開口部１３の下方は、格子状に交差する縦リブ２５および横リブ２７を介して下方に開放されている。なお、商品収容部１２の底部の傾斜角度も、上壁１１の傾斜角度に合わせて、１０°〜３５°、好ましくは、１５°に設定されている。
【００１８】
そして、上壁１１の前端に前壁１４が連設して一体に形成されている。前壁１４は、上壁１１の傾斜角度よりも大きな傾斜角度β（６５°〜７５°、好ましくは、７０°）で商品取り出し方向へ下降する傾斜面となっており、前壁１４の表面に商品の具体的内容などを表示したシール（図示省略）などを貼着できるように構成されている。
【００１９】
また、上壁１１の後端に後壁１５がほぼ直角に連設して一体に形成されている。この後壁１５の内側の両側部は、後述する右側壁１９および左側壁２２の後端に一体に連設されると共に、後述する縦リブ２５の後端にも一体に連設されている。
【００２０】
右側壁１９は、図６および図９に示すように、前壁１４、上壁１１および後壁１５の右側端縁部から一定距離、すなわち、後述する一対の右側壁突出部２０，２０の突出距離だけ内側に位置して前壁１４、上壁１１および後壁１５に連設して一体に形成され、商品陳列用具本体１０の一側部を構成している。また、右側壁１９には、一対の中空状の右側壁突出部２０，２０が右側壁１９の側面から外方に突出するように一体に形成されている。これらの一対の右側壁突出部２０，２０は、図９および図１０に示すように、上壁１１の右側端縁部の延長線上から突出しないように形成されている。そして、各右側壁突出部２０，２０の下方には、各右側壁突出部２０，２０の側面から外方に突出するように連結用フック２１，２１が一体に形成されている。各連結用フック２１，２１は、図１０（Ｂ）に示すように、下方にほぼＬ字形状に屈曲して形成されている。
【００２１】
また、右側壁１９のハンガー部１６の近傍には、後述する支持脚４０を枢支する支持脚枢支孔３１が形成されており、この支持脚枢支孔３１の両側に、支持脚起立保持部２９とストッパー保持部３０が、右側壁１９の側面から外方に突出するように形成されている。
【００２２】
左側壁２２は、図７および図９に示すように、前壁１４、上壁１１および後壁１５の左側端縁部から一定距離、すなわち、後述する一対の左側壁突出部２３，２３の突出距離だけ内側に位置して前壁１４、上壁１１および後壁１５に連設して一体に形成され、商品陳列用具本体１０の他側部を構成している。また、左側壁２２には、一対の中空状の左側壁突出部２３，２３が左側壁２２の側面から外方に突出するように一体に形成されている。一対の左側壁突出部２３，２３は、図９および図１０（Ｂ）に示すように、上壁１１の左側端縁部の延長線上から突出しないように形成されている。そして、各左側壁突出部２３，２３の下方には、各右側壁突出部２０，２０の側面に形成した連結用フック２１，２１に対応させて、フック係合孔２４，２４が形成されている。各フック係合孔２４，２４は、中空状の各左側壁突出部２３，２３内に連通して形成されている。
【００２３】
また、左側壁２２のハンガー部１６の近傍には、右側壁１９の支持脚枢支孔３１に対応させて、支持脚４０を枢支する支持脚枢支孔３１が形成されており、この支持脚枢支孔３１の両側には、右側壁１９の支持脚起立保持部２９およびストッパー保持部３０に対応させて、支持脚起立保持部２９とストッパー保持部３０が、左側壁２２の側面から外方に突出するように形成されている。
【００２４】
また、図９に示すように、右側壁１９と左側壁２２との間には、縦リブ２５が配設されており、この縦リブ２５は、商品収容部１２に対応する部位を除いて、右側壁１９および左側壁２２とほぼ同じ形状（図６および図７参照）で、前壁１４、上壁１１および後壁１５に一体に連設されて形成されている。図６、図７および図１０に示すように、縦リブ２５の縦リブ上端縁２６は、商品収容部１２の形状に合わせて切り欠かれており、商品収容部１２の底部の一部を形成している。
【００２５】
さらに、図６〜図１０に示すように、右側壁１９、縦リブ２５および左側壁２２は、３つの横リブ２７で一体に連設されている。各横リブ２７の横リブ上端縁２８は、縦リブ上端縁２６の高さと一致するように形成されており、縦リブ上端縁２６と共同して、商品収容部１２の底部（商品の滑走面）の一部を形成している。
【００２６】
また、図６、図７および図９に示すように、商品陳列用具本体１０の後壁１５の近傍にハンガー部１６が形成されている。このハンガー部１６は、右側壁１９、縦リブ２５および左側壁２２を、商品陳列用枠桟６１（図２および図４参照）の形状に合わせて切り欠いて形成されている。ハンガー部１６の前後に一対のハンガー部横リブ１８，１８が形成されており、各ハンガー部横リブ１８，１８は、右側壁１９、縦リブ２５および左側壁２２に連設して形成されると共に、上壁１１および後壁１５にも連設して形成されている。また、右側壁１９と縦リブ２５との間および左側壁２２と縦リブ２５との間には、それぞれハンガー部縦リブ１７が、ハンガー部１６の形状に合わせて形成されている。
【００２７】
図１１に示すように、支持脚４０は、接地部４４の両端に一対のアーム部４１を一体に連設してほぼコ字形状に形成されている。接地部４４の近傍でアーム部４１側にストッパー部４３が併設して形成されている。各アーム部４１の先端側の内側には、一対の枢支軸４２，４２が対向するように形成されており、各枢支軸４２，４２は、各支持脚枢支孔３１，３１（図６および図７参照）に挿入して取り付けられる。そして、商品陳列用具１をトレイ形式で使用する際（図１および図３参照）には、支持脚４０は、各アーム部４１，４１を各支持脚起立保持部２９，２９に当接させた状態で保持され、接地部４４を介して商品陳列用具本体１０を商品陳列用棚板６０の上面に載置させる。また、商品陳列用具１をハンガー形式で使用する際（図２および図４参照）には、ハンガー部１６を商品陳列用枠桟６１に掛止した後、支持脚４０を回動させて、各アーム部４１，４１を各ストッパー保持部３０，３０に当接させた状態で保持して、ハンガー部１６の開口部をストッパー部４２で閉鎖する。
【００２８】
次に、本発明の実施の形態に係る商品陳列用具１の使用形態を図１〜図５に基づいて説明する。
本発明の実施の形態に係る商品陳列用具１は、図１および図２に示すように、複数の商品陳列用具１、１を連結して使用することができ、また、一個の商品陳列用具１を単独で使用することもできるが、いずれの場合でも基本的な使用形態は同様であるため、複数の商品陳列用具１、１を連結して使用する形態について説明する。
【００２９】
まず、複数の商品陳列用具１、１を連結する際には、図５（Ａ）に矢印で示すように、一方の商品陳列用具本体１０の一側部（右側壁突出部２０）の連結用フック２１を、他方の商品陳列用具本体１０の他側部（左側壁突出部２３）のフック係合孔２４に挿入する。すると、図５（Ｂ）に示すように、一方の商品陳列用具本体１０の連結用フック２１が他方の商品陳列用具本体１０のフック係合孔２４に挿入された状態で係合され、一方の商品陳列用具本体１０と他方の商品陳列用具本体１０は相互に連結された状態となる。そして、さらに複数の商品陳列用具１、１を追加して連結する場合には、以上の動作を繰り返すことにより、適宜数量の商品陳列用具１、１を連結した状態とすることができる。
【００３０】
その後、商品陳列形態に合わせて、すなわち、図１に示すトレイ形式（載置形式）では、支持脚４０を起立させて、支持脚４０の接地部４４を商品陳列用棚板６０の上面に接地させて、適宜数量の商品陳列用具１、１を連結した状態で商品陳列用棚板６０の上面に載置する。そして、例えば、商品５０を商品収容部１２に収容することにより、トレイ形式の商品陳列用具として使用することができる。
【００３１】
また、図２に示すハンガー形式（掛止形式）では、ハンガー部１６を商品陳列用枠桟６１に掛止した後、商品陳列用枠桟６１を挟持するように支持脚４０を回動させて、適宜数量の商品陳列用具１、１を連結した状態で商品陳列用枠桟６１に掛止する。そして、例えば、商品５３を商品収容部１２に収容することにより、ハンガー形式の商品陳列用具として使用することができる。
【００３２】
トレイ形式またはハンガー形式のいずれの形態で使用する場合でも、箱状の容器５０の場合は、図３に示すように、商品陳列用具本体１０の上壁１１に形成した商品収容部１２は、前方（商品取出し方向）に傾斜した状態で設置されるため、商品収容部１２に収容した前方の商品５０を取り出すと、次の商品５０は、商品収容部１２の底部、すなわち、縦リブ上端縁２６と横リブ上端縁２８の上面を滑走して順次前方に移動される。また、ポーション容器５３の場合は、図４に示すように、フランジ部５５が上壁１１、すなわち、開口部１３の上縁部に接しているため、商品収容部１２に収容した前方の商品５３を取り出すと、次の商品５３は、商品収容部１２の上壁１１、すなわち、開口部１３の上縁部を滑走して順次前方に移動される。そのため、商品収容部１２内に収容される商品５０，５３は、常に商品陳列用具１の前方にあるため、商品を有無を確認することが容易となる。
【００３３】
なお、商品陳列用具に収容された商品が、図１２（Ａ）に示すような箱状の容器５０に収納されている場合、上壁１１に設けられた開口部１３の底部（即ち、縦リブ上縁部２６、横リブ上縁部２８）に接しながら次の商品が滑り降りてくるので、これらの縦リブ上縁部２６および横リブ上縁部２８の上面に摩擦係数が低くなるような表面処理を施すのが好ましい。
一方、図１２（Ｂ）に示すようなポーション容器５３に収納されている場合、容器５３のフランジ部５５と上壁１１とが接するので、上壁１１に摩擦係数が低くなるような表面処理を施すのが好ましい。また、本発明において開口部１３の寸法は、商品５０，５３を整列した状態で陳列できるように、陳列される商品５０，５３の横幅に合わせて設計するのが好ましいが、広範な商品に使用できるようにしてもよい。
また、本実施の形態における側壁部（右側壁１９および左側壁２２）の下端部を前壁１４の下端部の位置まで延長し、その延長部をもって支持脚を構成してもよいし、支持脚４０にストッパー部４３を設けなくてもよい。また、連結用フック２１を設けず単品（商品陳列用具単体）で使用できるようにしてもよいし、前壁１４を傾斜状にしなくてもよいし、前壁自体を設けなくてもよい。
【図面の簡単な説明】
【００３４】
【図１】トレイ形式（載置形式）で使用する複数の商品陳列用具を連結した状態を示す斜視図である。
【図２】ハンガー形式（掛止形式）で使用する複数の商品陳列用具を連結した状態を示す斜視図である。
【図３】図１に示す商品陳列用具の側面図である。
【図４】図２に示す商品陳列用具の側面図である。
【図５】複数の商品陳列用具を連結する手順を示す、図３のＡ−Ａ線に沿った断面図である。
【図６】商品陳列用具の右側面図である。
【図７】商品陳列用具の左側面図である。
【図８】商品陳列用具の上面図である。
【図９】商品陳列用具の底面図である。
【図１０】図８のＢ−Ｂ線に沿った断面図（Ａ）と、図８のＣ−Ｃ線に沿った断面図（Ｂ）である。
【図１１】支持脚の正面図（Ａ）と側面図（Ｂ）である。
【図１２】商品陳列用具に使用する商品収納ケース（Ａ）と商品収納容器（Ｂ）の斜視図である。
【符号の説明】
【００３５】
１  商品陳列用具
１０  商品陳列用具本体
１１  上壁（開口部の上縁部）
１２  商品収容部
１３  開口部
１４  前壁
１５  後壁
１６  ハンガー部
１７  ハンガー部縦リブ
１８  ハンガー部横リブ
１９  右側壁
２０  右側壁突出部
２１  連結用フック
２２  左側壁
２３  左側壁突出部
２４  フック係合孔
２５  縦リブ
２６  縦リブ上端縁
２７  横リブ
２８  横リブ上端縁
２９  支持脚起立保持部
３０  ストッパー保持部
３１  支持脚枢支孔
４０  支持脚
４１  アーム部
４２  枢支軸
４３  ストッパー部
４４  接地部
５０  箱状の容器（商品）
５１  第１ケース部
５２  第２ケース部
５３  ポーション容器（商品）
５４  容器本体部
５５  容器フランジ部
６０  商品陳列用棚板（平面）
６１  商品陳列用枠桟（枠桟）
【図１】
2007185360.tif 000003
【図２】
2007185360.tif 000004
【図３】
2007185360.tif 000005
【図４】
2007185360.tif 000006
【図５】
2007185360.tif 000007
【図６】
2007185360.tif 000008
【図７】
2007185360.tif 000009
【図８】
2007185360.tif 000010
【図９】
2007185360.tif 000011
【図１０】
2007185360.tif 000012
【図１１】
2007185360.tif 000013
【図１２】
2007185360.tif 000014